(57)【要約】【課題】通信端末機器間での機器固有情報の交換を、電源供給可能な通信ケーブルにより、交換要求を出す通信端末機器が、交換要求を受け入れる通信端末機器に電源を給電しながら、機器ＩＤを交換することで、故障などにより電源を供給できない通信端末機器と機器固有情報を交換可能にする通信システムおよび通信端末機器を提供する。【解決手段】通信端末機器１０１−Ａが、通信端末機器１０１−Ｂに電源を給電し、通信端末機器１０１−Ｂが通信端末機器１０１−Ａから電源を受電すると、通信端末機器１０１−Ａと通信端末機器１０１−Ｂとで互換性を確認し、互換性がある場合に機器固有情報を交換することにより、通信端末機器１０１−Ｂが故障や電池切れなどにより電源を供給できない場合にも、通信端末機器間で機器固有情報を交換することが可能になる。【選択図】図１
2008227604.tif 000002
【特許請求の範囲】
【請求項１】
第１の機器固有情報を備えた第１の通信端末機器と、第２の機器固有情報を備えた第２の通信端末機器から構成される通信システムにおいて、
前記第１の通信端末機器は、前記第２の通信端末機器に電源を給電する給電手段と、前記第２の通信端末機器と前記第１の機器固有情報の一部を交換するための機器固有情報交換手段と、前記第２の通信端末機器と電気的に接続可能な第１の入出力部とを有し、
前記第２の通信端末機器は、前記第１の通信端末機器から電源を受電する受電手段と、前記第１の通信端末機器と前記第２の機器固有情報の一部を交換する機器固有情報交換受入手段と、前記第１の通信端末機器と電気的に接続可能な第２の入出力部を有し、
前記第１の入出力部と前記第２の入出力部とが電源供給可能な通信ケーブルで接続されたとき、前記第１の通信端末機器は前記給電手段により前記第２の通信端末機器に給電し、前記第２の通信端末機器は前記受電手段により受電し、前記第１の通信端末機器の前記機器固有情報交換手段と前記第２の通信端末機器の前記機器固有情報交換受入手段により、前記第１の機器固有情報と前記第２の機器固有情報との一部を交換することを特徴とする通信システム。
【請求項２】
請求項１に記載の通信システムであって、
前記第１の通信端末機器は、さらに前記第２の通信端末機器と互換性があるかを判定する互換性チェック手段とを含み、
前記第２の通信端末機器は、さらに前記互換性チェック手段に応答する互換性チェック受入手段とを含み、
前記第１の通信端末機器と、前記第２の通信端末機器との間で互換性を確認したあと、前記第１の機器固有情報と前記第２の機器固有情報との一部を交換することを特徴とする通信システム。
【請求項３】
請求項１または請求項２に記載の通信システムであって、
前記第２の通信端末機器は、交換した前記第１の機器固有情報の一部を消去することを特徴とする通信機器。
【請求項４】
請求項１ないし請求項３のいずれか一つに記載の通信システムであって、
前記第１の通信端末機器は、さらに前記第１の機器固有情報を記憶する第１の一時記憶手段とを含み、
前記第２の通信端末機器は、さらに前記第２の機器固有情報を記憶する第２の一時記憶手段とを含み、
前記第１の機器固有情報と前記第２の機器固有情報との一部を交換完了前に、前記通信ケーブルの外れを検出したとき、前記第１の通信端末機器は、前記第１の機器固有情報を前記第１の一時記憶手段に記憶された情報に置き換え、前記第２の通信端末機器は、前記第２の機器固有情報を前記第２の一時記憶手段に記憶された情報に置き換えることを特徴とする通信システム。
【請求項５】
外部機器に電源を給電する給電手段と、前記外部機器の機器固有情報の一部を取得するための機器固有情報取得手段と、前記外部機器と電気的に接続可能な入出力部とを有する通信端末機器であって、
前記外部機器と電源供給可能な通信ケーブルで接続されているとき、前記給電手段により前記外部機器に給電し、前記機器固有情報取得手段により、前記機器固有情報の一部を取得することを特徴とする通信端末機器。
【請求項６】
外部機器から給電を受ける受電手段と、前記外部機器から機器固有情報の一部の送信要求を受信すると、前記機器固有情報の一部を前記外部機器に送信する機器固有情報送信手段と、前記外部機器と電気的に接続可能な入出力部を有する通信端末機器であって、
前記外部機器と前記入出力部が電源供給可能な通信ケーブルで接続されているとき、前記受電手段により前記外部機器から受電し、前記機器固有情報送信手段により、前記外部機器に前記機器固有情報の一部を送信することを特徴とする通信端末機器。
【請求項７】
請求項６に記載の通信端末機器であって、
前記外部機器に前記機器固有情報の一部を送信したあと、前記機器固有情報の少なくとも一部を消去することを特徴とする通信端末機器。
【発明の詳細な説明】
【技術分野】
【０００１】
本発明は、機器固有情報を付加して通信を行う通信システムおよび通信端末機器に関するものであり、特に、通信端末機器同士の機器固有情報の交換方法に関する。
【背景技術】
【０００２】
ユビキタス社会の実現に向け、微小なセンサ端末によりネットワークを構築するセンサネットワークの応用検討が進められている。センサネットワークは、家庭やオフィス・工場の機器、もしくは環境などの管理および監視するといったシステムへの応用が検討されている。
【０００３】
上記システムでは、管理サーバがセンサからのデータを収集し、システム全体を管理および監視する形態が多くとられている。管理サーバは、センサを一意に識別する機器ＩＤとセンサがどこにあるか、どの機器に組み込まれているかというセンサの環境情報のマッピングする管理テーブルを保持し、この管理テーブルに基づき管理および監視を行う。
【０００４】
しかし、上記システムでは、センサの故障や機種変更などによりセンサを交換する場合、管理サーバの管理テーブルを更新する必要があり、何らかの形で変更前のセンサの機器ＩＤと変更後の機器ＩＤを管理サーバに通知しなければならない。
【０００５】
特許文献１に記載された発明は、センサのような通信端末機器に機器ＩＤとは別にユーザが任意に設定可能なユーザＩＤを付加し、ユーザＩＤを基に管理テーブルの機器ＩＤ−センサ環境情報とのマッピングを再構築する。この発明では、管理テーブルの更新を自動化できるが、ユーザＩＤの管理はユーザが行うことになり、多数のセンサを利用しているユーザにとっては、その管理に非常に手間が掛かる。また、通信端末機器にユーザＩＤを付加するための入力デバイスも別途必要になる。
【０００６】
一方、管理テーブルを変更するのではなく、通信端末機器の機器ＩＤを直接交換する方式も提案されている。具体的には、特許文献２には、ＵＳＢケーブルなどの有線により、２つの通信端末機器を接続し、お互い認証確認が終了すれば、機器ＩＤを交換する通信機器およびシステムが記載されている。また、特許文献２は、認証確認だけ無線で行い、機器ＩＤを有線で行う方式も記載されている。
【０００７】
【特許文献１】特開２００４−２６０６３５号公報
【特許文献２】特開２００１−１７７５９９号公報
【発明の開示】
【発明が解決しようとする課題】
【０００８】
しかし、機器ＩＤを直接交換する方式では、交換する通信端末機器が正常に動作していることが前提である。この方式は、機種変更などのように本来正常に動作していた通信端末機器と交換する場合はよいが、故障などにより強制的に交換しなければならず、故障した通信端末機器が自身の電源で動作不可能になっていた場合は、交換が行えない。
【０００９】
本発明は、上記課題を鑑みたものであり、通信端末機器同士を電源供給可能な通信ケーブルで接続し、交換要求を出す通信端末機器が、交換要求を受け入れる通信端末機器に電源を給電することで、交換要求を受け入れる通信端末機器が故障や電池切れなどにより電源が供給されずに動作が不可能である場合でも、交換要求を受け入れる通信端末機器と機器ＩＤを交換することが可能な通信システムおよび通信端末機器を提供することを目的とする。
【課題を解決するための手段】
【００１０】
上記課題は、第１の機器固有情報を備えた第１の通信端末機器と、第２の機器固有情報を備えた第２の通信端末機器から構成され、第１の通信端末機器は、第２の通信端末機器に電源を給電する給電手段と、第２の通信端末機器と第１の機器固有情報の一部を交換するための機器固有情報交換手段と、第２の通信端末機器と電気的に接続可能な第１の入出力部とを有し、第２の通信端末機器は、第１の通信端末機器から電源を受電する受電手段と、第１の通信端末機器と第２の機器固有情報の一部を交換する機器固有情報交換受入手段と、第１の通信端末機器と電気的に接続可能な第２の入出力部を有し、第１の入出力部と第２の入出力部とが電源供給可能な通信ケーブルで接続されたとき、第１の通信端末機器は給電手段により第２の通信端末機器に給電し、第２の通信端末機器は受電手段により受電し、第１の通信端末機器の機器固有情報交換手段と第２の通信端末機器の機器固有情報交換受入手段により、第１の機器固有情報と第２の機器固有情報との一部を交換する通信システムにより、達成できる。
【００１１】
また、外部機器に電源を給電する給電手段と、外部機器の機器固有情報の一部を取得するための機器固有情報取得手段と、外部機器と電気的に接続可能な入出力部とを有し、外部機器と電源供給可能な通信ケーブルで接続されているとき、給電手段により外部機器に給電し、機器固有情報取得手段により、機器固有情報の一部を取得する通信端末機器により、達成できる。
【００１２】
さらに、外部機器から給電を受ける受電手段と、外部機器から機器固有情報の一部の送信要求を受信すると、機器固有情報の一部を外部機器に送信する機器固有情報送信手段と、外部機器と電気的に接続可能な入出力部を有し、外部機器と入出力部が電源供給可能な通信ケーブルで接続されているとき、受電手段により外部機器から受電し、機器固有情報送信手段により、外部機器に機器固有情報の一部を送信する通信端末機器により、達成できる。
【発明の効果】
【００１３】
本発明によれば、電源故障、電池切れなどにより動作不可能な通信端末機器と機器ＩＤを交換することができ、管理サーバの管理テーブルの変更無しに通信端末機器を交換し、システムを継続して利用することができる。
【発明を実施するための最良の形態】
【００１４】
以下、添付図面を参照しながら、通信システムおよび通信端末機器を実施するための最良形態を詳細に説明する。ここでは、機器固有情報として、ＩＥＥＥ８０２で規定されているＭＡＣ（Media Access Control）アドレスのような機器を一意に識別する機器ＩＤを想定する。しかし、他に、暗号の秘密鍵など機器固有に設定される情報なども交換可能であり、これらに限定されない。なお、以下の図面において、同一の符号を付した部分は同一物を表し、基本的な構成および動作は同様であるものとする。したがって、説明は繰り返さない。
【実施例１】
【００１５】
実施例１を図１ないし図１４を参照して説明する。実施例１では、通信端末機器を、通信ケーブルを介して２台接続し、一方の通信端末機器が他方の通信端末機器の機器ＩＤを取得し、他方の通信端末機器の機器ＩＤを消去する実施例を説明する。
【００１６】
図１は通信端末機器のハードウェアおよびソフトウェアのブロック図である。図１において、通信システム１００は、通信端末機器１０１−Ａと、通信端末機器１０１−Ｂと、両者を接続する通信ケーブル１６０とから構成される。
【００１７】
通信端末機器１０１は、ＣＰＵ１０２と、ＲＯＭ１０３と、ＲＡＭ１０４と、ＲＦ処理部１０５と、モード設定スイッチ１０６と、交換スイッチ１０７と、状態表示ＬＥＤ１０８と、給電スイッチ１０９と、電源部１１０と、通信Ｉ／Ｆ１１１とから構成される。また、ＲＡＭ１０４は、一時記憶情報テーブル１２０と状態テーブル１２１とを保持する。さらに、ＲＯＭ１０３は、機器固有情報テーブル１１２とプログラム１１３とを保持する。
【００１８】
通信端末機器１０１−Ａのプログラム１１３は、状態観測プログラム１１４と、エラー処理プログラム１１５と、給電プログラム１１６と、機器ＩＤ交換プログラム１１７と、機種ＩＤチェックプログラム１１８と、アプリケーションプログラム１１９とから構成される。一方、通信端末機器１０１−Ｂのプログラム１１３は、状態観測プログラム１１４と、エラー処理プログラム１１５と、受電通知プログラム１４６と、機器ＩＤ交換受入プログラム１４７と、機種ＩＤチェック受入プログラム１４８と、アプリケーションプログラム１１９とから構成される。なお、通信端末機器１０１−Ａのプログラム１１３と、通信端末機器１０１−Ｂのプログラム１１３とは、図示の簡便のため構成を異なって記載しているが、両者は同一であっても良い。
【００１９】
通信端末機器１０１は、アプリケーションプログラム１１９を、ＣＰＵ１０２が実行することにより、図示しないセンサでセンシングしたデータをＲＦ処理部１０５で高周波変調し、アンテナ１２３から送信する機器である。
【００２０】
通信端末機器１０１−Ａは通信端末機器１０１−Ｂへ機器ＩＤの交換を要求し、通信端末機器１０１−Ｂから送信された機器ＩＤと自通信端末機器の機器ＩＤとを交換する通信端末機器である。
【００２１】
ＣＰＵ１０２は、ＲＯＭ１０３のプログラム１１３を実行し、プログラム１１３の処理に基づき通信端末機器１０１内の各構成部分を動作ならびにデータ通信を制御する。ＣＰＵ１０２は、ＲＯＭ１０３、ＲＦ処理部１０５、モード設定スイッチ１０６、交換スイッチ１０７、状態表示ＬＥＤ１０８、給電スイッチ１０９、通信Ｉ／Ｆ１１１、ＲＡＭ１０４と接続されている。ＲＯＭ１０３は、読み出し専用の半導体メモリなどから構成される記憶装置である。ＲＡＭ１０４は書き換え可能な半導体メモリ素子などの記憶装置であり、動作中のプログラムが保持する変数や、通信端末機器の状態を保持するテーブルなどを記憶する。ＲＦ処理部１０５は、通信端末機器が本来有しているアプリケーションの無線通信の送受信を行うものであり、ＣＰＵ１０２、アンテナ１２３と接続されている。無線通信は、ＩＥＥＥ８０２．１１ａ、ＩＥＥＥ８０２．１１ｂ、ＩＥＥＥ８０２．１１ｇ、ＩＥＥＥ８０２．１５．４、ＢＬＵＥＴＯＯＴＨ、特定小電力無線、ＵＷＢ（Ultra Wide Band）などである。
【００２２】
モード設定スイッチ１０６は、交換可能であるかどうかを切り替え、さらに交換可能な場合に交換要求モードと交換受入モードを切り替えるスイッチであり、ＣＰＵ１０２と接続されている。モード設定スイッチ１０６は、ディップスイッチや切り替えスイッチなどから選択できる。交換スイッチ１０７は、交換を開始するためのスイッチであり、ＣＰＵ１０２と接続されている。交換スイッチ１０７は、プッシュスイッチなどである。状態表示ＬＥＤ１０８は、正常終了、異常終了、交換中などの状態を表示するためのＬＥＤであり、ＣＰＵ１０２と接続されている。給電スイッチ１０９は、電源部１１０から通信Ｉ／Ｆ１１１を介して、他の通信端末機器１０１へ給電するためのスイッチであり、通信Ｉ／Ｆ１１１、ＣＰＵ１０２、電源部１１０と接続されている。給電スイッチ１０９は、トランジスタなどのスイッチング回路である。ここで、給電とは電力を分け与えることである。給電スイッチ１０９は、また通信Ｉ／Ｆ１１１を介して、他の通信端末機器１０１から受電した電力を自身である通信端末機器１０１の各部に給電する。
【００２３】
通信端末機器１０１−Ａの電源部１１０は、通信端末機器１０１−Ａを動作させる動力源であり、通信端末機器１０１−Ｂに給電する装置であり、給電スイッチ１０９と接続されている。電源部１１０は、乾電池、ボタン電池などである。通信Ｉ／Ｆ１１１は、通信端末機器１０１−Ａと通信端末機器１０１−Ｂとのデータ通信や通信端末機器１０１−Ｂへ給電するための通信ケーブルを接続するＩ／Ｆであり、給電スイッチ１０９、ＣＰＵ１０２、ＲＡＭ１０４と接続されている。通信Ｉ／Ｆ１１１は、ＵＳＢ、ＩＥＥＥ１３９４などのコネクタを備える。機器固有情報テーブル１１２は、通信端末機器１０１の固有情報である機種ＩＤと機器ＩＤとを記憶しておくテーブルである。
【００２４】
状態観測プログラム１１４は、モード設定スイッチ１０６の状態を観測し、通信ケーブル１６０が接続されているかを監視するプログラムであり、モード設定スイッチ１０６の状態によって、給電プログラム１１６、アプリケーションプログラム１１９を起動する。エラー処理プログラム１１５は、通信端末機器１０１−Ａと通信端末機器１０１−Ｂが機器ＩＤを交換しているときに、通信ケーブル１６０が外れるなど例外処理が起こった場合に、機器ＩＤ交換前の機器ＩＤに戻すプログラムである。給電プログラム１１６は、通信端末機器１０１−Ｂへ給電し、機器ＩＤ交換プログラム１１７を起動するプログラムである。機器ＩＤ交換プログラム１１７は、通信端末機器１０１−Ｂと機器ＩＤの送受信を行い、通信端末機器１０１−Ｂの機器ＩＤに交換するプログラムである。機種ＩＤチェックプログラム１１８は、通信端末機器１０１−Ａと通信端末機器１０１−Ｂとが機種ＩＤに互換性があるかをチェックするためのプログラムであり、もし互換性があれば、機器ＩＤ交換プログラム１１７を実行し、もし互換性がなければ、交換処理を終了する。アプリケーションプログラム１１９は、通信端末機器１０１−Ａが通常行うべきアプリケーション処理を担う。アプリケーションプログラム１１９は、通信端末機器１０１−Ａがネットワーク対応のセンサであれば、センサデータを取得し、無線で通信する処理である。
【００２５】
一時記憶情報テーブル１２０は、機器ＩＤ交換時に一時的に保存しておく情報を格納するエリアであり、通信端末機器１０１−Ａの機器ＩＤと通信端末機器１０１−Ｂの機器ＩＤとを格納するテーブルである。状態テーブル１２１は、機器ＩＤ交換時に通信端末機器１０１−Ａの状態を保存しておくテーブルである。アンテナ１２３は、無線の送受信を行うものであり、ＲＦ処理部１０５と接続されている。
【００２６】
通信端末機器１０１−Ｂは、通信端末機器１０１−Ａからの機器ＩＤの交換の要求を受け入れ、通信端末機器１０１−Ａに機器ＩＤを送信する通信端末機器である。通信端末機器１０１−Ｂは、通信端末機器１０１−Ａと同じ構成であり、違いについて以下説明する。
【００２７】
受電通知プログラム１４６は、通信端末機器１０１−Ａから受電されていることを通信端末機器１０１−Ａに通知するプログラムである。通知後、受電通知プログラム１４６は、機器ＩＤ交換受入プログラム１４７を起動する。ここで、受電とは電力を受け取ることである。機器ＩＤ交換受入プログラム１４７は、通信端末機器１０１−Ａに機器ＩＤを送信し、機器ＩＤを消去するプログラムである。機種ＩＤチェック受入プログラム１４８は、通信端末機器１０１−Ａに機種ＩＤを送信し、通信端末機器１０１−Ａから互換性の結果を受信するプログラムである。もし互換性があれば、機種ＩＤチェック受入プログラム１４８は、機器ＩＤ交換受入プログラム１４７を実行し、もし互換性がなければ、交換処理を終了する。
【００２８】
図２は機器固有情報テーブルを説明する図である。図２において、通信端末機器１０１−Ａの機器固有情報テーブル１１２は、機種ＩＤ欄２０１と、機器ＩＤ欄２０２とを備える。機種ＩＤ欄２０１は、通信端末機器の種類を表すＩＤを格納するエリアである。例えば、通信端末機器が温度センサなら「０００１」、湿度センサなら「０００２」などのように、あらかじめ製造メーカが定義している値を格納する。機器ＩＤ欄２０２は、通信端末機器を一意に識別するためのＩＤを格納するエリアである。図２では、機種ＩＤ２０１が「０００１」であり、機器ＩＤ２０２が「００ａｂ１２ｃｄ」である。
【００２９】
図３は一時記憶情報テーブルを説明する図である。図３において、通信端末機器１０１−Ａの一時記憶情報テーブル１２０は、一時機器ＩＤ欄３０１と受信機器ＩＤ欄３０２とを備える。一時機器ＩＤ欄３０１は、自通信端末機器の機器ＩＤをバックアップするために記憶しておくエリアである。受信機器ＩＤ欄３０２は。通信している通信端末機器の機器ＩＤを格納しておくエリアであり、通信端末機器１０１−Ａの場合は通信端末機器１０１−Ｂの機器ＩＤ、通信端末機器１０１−Ｂの場合は通信端末機器１０１−Ａの機器ＩＤが格納される。
【００３０】
図４は状態テーブルを説明する図である。図４において、通信端末機器１０１の状態テーブル１２１は、機種チェックフラグ４０２と交換中フラグ４０３と交換完了フラグ４０４とから構成される。
【００３１】
機種チェックフラグ４０２は、通信端末機器１０１−Ａと通信端末機器１０１−Ｂの機種に互換があるかどうか示すフラグであり、「０」のときは機種に互換性なし、「１」のときに機種に互換性ありを示す。交換中フラグ４０３は、通信端末機器１０１−Ａと通信端末機器１０１−Ｂとの間で機器ＩＤが交換中であるかどうかを示すフラグであり、「１」のときに機器ＩＤが交換中であることを表す。交換完了フラグ４０４は、通信端末機器１０１−Ａと通信端末機器１０１−Ｂとの間で機器ＩＤの交換が完了したかを示すフラグであり、「１」になると機器ＩＤの交換完了を表す。図４に示す状態のとき、通信端末機器１０１−Ａと通信端末機器１０１−Ｂの機種に互換があり、通信端末機器１０１−Ａと通信端末機器１０１−Ｂとの間で機器ＩＤが交換中であり、通信端末機器１０１−Ａと通信端末機器１０１−Ｂとの間で機器ＩＤの交換が完了していないことを意味する。
【００３２】
図５は通信パケットのフォーマットを説明する図である。図５のフォーマットは、通信端末機器１０１−Ａと通信端末機器１０１−Ｂ がデータ通信を行う時のパケットフォーマットである。図５において、通信パケットフォーマット５０１は、信号名５０２、バイト数５０３、データ５０４から構成されている。信号名５０２は、信号の種類を表した記号である。信号の種類には、信号の種類には交換可能信号、機種ＩＤ要求信号、互換判定信号（メッセージ）、機器ＩＤ消去要求信号、完了通知信号、交換開始信号、ＡＣＫ、データ信号などある。例えば、交換可能信号は「０ｘ０１」、機種ＩＤ要求信号は「０ｘ０２」などである。バイト数５０３は、データ５０４のバイト数を示した値である。ここで、信号名５０２がデータ信号以外であれば、バイト数は「０」とする。データ５０４は、転送するデータであり、主に信号名５０２がデータ信号であった場合に、データが記述されている。データ５０４は、機種ＩＤ、機器ＩＤなどがある。
【００３３】
図６は状態観測プログラムの動作を説明するフローチャートである。状態観測プログラム１１４は、モード設定スイッチ１０６、モード設定スイッチ１０６の状態を読み取り、機器ＩＤ交換可能モードであるのか、さらに自通信端末機器が機器ＩＤ交換要求を出す通信端末機器１０１−Ａであるのか、機器ＩＤ交換要求を受け入れる通信端末機器１０１−Ｂであるのかを判断し、読み取ったモードに応じて、他のプログラムを起動させるための処理を行うプログラムである。
【００３４】
図６において、状態観測プログラム１１４は、まず、状態テーブル１２１、状態テーブル１２１の機種チェックフラグ４０２、交換中フラグ４０３、交換完了フラグ４０４を全て０に初期化する（Ｓ１０１）。次に、状態観測プログラム１１４は、通信ケーブル１６０の接続状態を監視し、接続されるまで待機する（Ｓ１０２）。通信ケーブル１６０が接続状態になれば、状態観測プログラム１１４は、モード設定スイッチ１０６の状態からモードを取得する（Ｓ１０３）。状態観測プログラム１１４は、取得したモードが交換可能モードかどうか判断し（Ｓ１０４）、交換可能モードなら、さらに交換要求モードかどうかを判断する（Ｓ１０５）。もし、交換可能モードでなければ、アプリケーションプログラム１１９を起動し（Ｓ１１２）、終了する。
【００３５】
ステップ１０５で、もし交換要求モードなら、自通信端末機器は、機器ＩＤ交換を要求する通信端末機器１０１−Ａであり、状態観測プログラム１１４は、通信端末機器１０１−Ｂへ給電するため、給電プログラム１１６を起動する（Ｓ１０６）。ステップ１０５で、もし交換要求モードでなければ、自通信端末機器は機器ＩＤの交換要求を受け入れる通信端末機器１０１−Ｂであり、状態観測プログラム１１４は、通信端末機器１０１−Ａから受電するため、受電通知プログラム１４６を起動する（Ｓ１０７）。
【００３６】
次に、状態観測プログラム１１４は、通信端末機器が交換送信元、交換受信先のどちら場合も、状態表示ＬＥＤ１０８に交換可能状態を表示する（Ｓ１０８）。状態観測プログラム１１４は、状態テーブル１２１の交換完了フラグ４０４を観測し（Ｓ１０９）、もし交換完了フラグ４０４が１なら終了する。
【００３７】
交換完了フラグ４０４が０なら、状態観測プログラム１１４は、通信ケーブル１６０の接続状態を監視し（Ｓ１１０）、通信ケーブル１６０が切断されたら、エラー処理プログラム１１５を起動させて（Ｓ１１１）、終了する。ステップ１１０で、通信ケーブル１６０が接続されていたら、状態観測プログラム１１４は、ステップ１０９へ戻る。
【００３８】
図７はエラー処理プログラムを説明するフォローチャートである。エラー処理プログラム１１５は、通信端末機器１０１−Ａと通信端末機器１０１−Ｂが機器ＩＤの交換処理をしているときに通信ケーブル１６０の接続が切断されるなど、異常動作が起こった場合に行う処理を実行する。
【００３９】
図７において、エラー処理プログラムは、まず、起動しているプログラムを強制終了する（Ｓ１２１）。次に、状態テーブル１２１にある交換中フラグ４０３の状態を観測し（Ｓ１２２）、交換中フラグ４０３が１であれば、エラー処理プログラムは、一時記憶情報テーブル１２０の一時機器ＩＤ３０１を機器固有情報テーブル１１２の機器ＩＤ２０２に上書きし、交換中の機器ＩＤを元に戻す（Ｓ１２３）。交換中フラグ４０３が０であれば、エラー処理プログラムは、そのまま終了する。
【００４０】
図８は給電プログラムの動作を説明するフローチャートである。給電プログラム１１６は、通信端末機器１０１−Ａにおいて動作し、通信端末機器１０１−Ｂに給電し、機器ＩＤ交換プログラム１１７を起動させる処理を行う。
【００４１】
図８において、まず、給電プログラム１１６は、給電スイッチ１０９をＯＮにする（Ｓ１３１）。通信端末機器１０１−Ａと通信端末機器１０１−Ｂとが、通信ケーブル１６０を介して接続されていると、通信端末機器１０１−Ａの電源部１１０から通信ケーブル１６０を介して、通信端末機器１０１−Ｂの通信Ｉ／Ｆ１１１を介して、通信端末機器１０１−Ｂへ給電し、受電した通信端末機器１０１−Ｂから交換可能信号を受信する（Ｓ１３２）。最後に、給電プログラム１１６は、機器ＩＤ交換プログラム１１７を起動して（Ｓ１３３）、終了する。
【００４２】
図９は受電通知プログラムの動作を説明するフローチャートである。受電通知プログラム１４６は、通信端末機器１０１−Ｂで動作し、通信端末機器１０１−Ａから給電され、機器ＩＤ交換受入プログラム１４７を起動させる処理を行うプログラムである。
【００４３】
図９において、まず、通信機器端末Ａ１０１から通信ケーブル１６０を介して通信Ｉ／Ｆ１１１から給電されると、通信端末機器１０１−Ａへ交換可能信号を送信する（Ｓ１４１）。最後に、受電通知プログラム１４６は、機器ＩＤ交換受入Ｂプログラム１４７を起動させて（Ｓ１４２）、終了する。
--  図１０は機器ＩＤ交換プログラムの動作を説明するフローチャートである。機器ＩＤ交換プログラム１１７は、通信端末機器１０１−Ａが通信端末機器１０１−Ｂの機器固有情報テーブル１１２の機器ＩＤ２０２を受信し、機器固有情報テーブル１１２の機器ＩＤ２０２と交換してから、通信端末機器１０１−Ｂの機器固有情報テーブル１１２の機器ＩＤ２０２を消去させる処理を行うプログラムである。
【００４４】
図１０において、機器ＩＤ交換プログラム１１７は、まず、交換スイッチ１２２がＯＮになるまで待機し（Ｓ２０１）、交換スイッチ１２２がＯＮになれば、機種ＩＤチェックプログラム１１８を起動する（Ｓ２０２）。機器ＩＤ交換プログラム１１７は、次に、機種ＩＤチェックプログラム１１８が終了するまで待機する（Ｓ２０３）。機種ＩＤチェックプログラム１１８が終了すると、機器ＩＤ交換プログラム１１７は、状態テーブル１２１の機種チェックフラグ４０２を観測し（Ｓ２０４）、もし機種チェックフラグ４０２が０であれば、状態表示ＬＥＤ１０８に異常終了を表示し（Ｓ２２０）、終了する。
【００４５】
ステップ２０４で機種チェックフラグ４０２が１のとき、機器ＩＤ交換プログラム１１７は、機器固有情報テーブル１１２の機器ＩＤ２０２を一時記憶情報テーブル１２０の一時機器ＩＤ３０１に格納し（Ｓ２０５）、状態テーブル１２１の交換中フラグ４０３を１にする（Ｓ２０６）。機器ＩＤ交換プログラム１１７は、次に、通信端末機器１０１−Ｂへ機器ＩＤ要求信号を送信する（Ｓ２０７）。機器ＩＤ交換プログラム１１７は、通信端末機器１０１−Ｂから機器固有情報テーブル１１２の機器ＩＤ２０２を受信し（Ｓ２０８）、通信端末機器１０１−Ｂから受信した機器ＩＤを一時記憶情報テーブル１２０の受信機器ＩＤ３０２に格納する（Ｓ２０９）。機器ＩＤ交換プログラム１１７は、次に、通信端末機器１０１−Ｂへ機器ＩＤ消去要求信号（メッセージ）を送信し（Ｓ２１０）、通信端末機器１０１−Ｂの機器固有情報テーブル１１２の機器ＩＤ２０２を消去させる。
【００４６】
機器ＩＤ交換プログラム１１７は、通信端末機器１０１−ＢからＡＣＫを受信すると（Ｓ２１１）、機器固有情報テーブル１１２の機器ＩＤ２０２を一時記憶情報テーブル１２０の受信機器ＩＤ３０２で上書きする（Ｓ２１２）。機器ＩＤ交換プログラム１１７は、次に、状態テーブル１２１の交換中フラグ４０３を０にする（Ｓ２１３）。機器ＩＤ交換プログラム１１７は、次に、通信端末機器１０１−Ｂへ完了通知信号を送信する（Ｓ２１４）。通信端末機器１０１−ＢからＡＣＫを受信すると（Ｓ２１５）、機器ＩＤ交換プログラム１１７は、一時記憶情報テーブル１２０の受信機器ＩＤ３０２と一時機器ＩＤ３０１を消去する（Ｓ２１６、Ｓ２１７）。機器ＩＤ交換プログラム１１７は、最後に、状態テーブル１２１の交換完了フラグ４０４を１にし（Ｓ２１８）し、状態表示ＬＥＤ１０８に正常終了を表示し（Ｓ２１９）、終了する。
【００４７】
図１１は機器ＩＤ交換受入プログラムの動作を説明するフローチャートである。機器ＩＤ交換受入プログラム１４７は、通信端末機器１０１−Ｂで動作し、通信端末機器１０１−Ａが通信端末機器１０１−Ｂの機器固有情報テーブル１１２の機器ＩＤ２０２を受信し、機器固有情報テーブル１１２の機器ＩＤ２０２と交換してから、通信端末機器１０１−Ｂの機器固有情報テーブル１１２の機器ＩＤ２０２を消去する処理を行うプログラムである。
【００４８】
図１１において、機器ＩＤ交換受入プログラム１４７は、まず、機種ＩＤチェック受入プログラム１４８を起動する（Ｓ３０１）。機器ＩＤ交換受入プログラム１４７は、次に、機種ＩＤチェック受入プログラム１４８が終了するまで待機する（Ｓ３０２）。
【００４９】
機種ＩＤチェック受入プログラム１４８が終了すると、機器ＩＤ交換受入プログラム１４７は、状態テーブル１２１の機種チェックフラグ４０２を観測し（Ｓ３０３）、もし機種チェックフラグ４０２が０であれば、状態表示ＬＥＤ１０８に異常終了を表示し（Ｓ３１７）、終了する。
【００５０】
ステップ３０３で、機種チェックフラグ４０２が１であれば、機器ＩＤ交換受入プログラム１４７は、通信端末機器１０１−Ａからの機器ＩＤ要求信号を受信し（Ｓ３０４）、機器固有情報テーブル１１２の機器ＩＤ２０２を一時記憶情報テーブル１２０の一時機器ＩＤ３０１に格納する（Ｓ３０５）。
【００５１】
機器ＩＤ交換受入プログラム１４７は、次に、状態テーブル１２１の交換中フラグ４０３を１にする（Ｓ３０６）。機器ＩＤ交換受入プログラム１４７は、次に、通信端末機器１０１−Ａへ機器固有情報テーブル１１２の機器ＩＤ２０２を送信する（Ｓ３０７）。機器ＩＤ交換受入プログラム１４７は、次に、通信端末機器１０１−Ａから機器ＩＤ消去要求信号を受信し（Ｓ３０８）、機器固有情報テーブル１１２の機器ＩＤ２０２を消去する（Ｓ３０９）。機器ＩＤの消去が終了すると、機器ＩＤ交換受入プログラム１４７は、通信端末機器１０１−ＡへＡＣＫを送信する（Ｓ３１０）。通信端末機器１０１−Ａから完了通知を受信すると（Ｓ３１１）、状態テーブル１２１の交換中フラグ４０３を０にする（Ｓ３１２）。機器ＩＤ交換受入プログラム１４７は、次に、通信端末機器１０１−ＡへＡＣＫを送信し（Ｓ３１３）、一時記憶情報テーブル１２０の一時機器ＩＤ３０１を消去する（Ｓ３１４）。機器ＩＤ交換受入プログラム１４７は、最後に、状態テーブル１２１の交換完了フラグ４０４を１にし（Ｓ３１５）、状態表示ＬＥＤ１０８に正常終了を表示し（Ｓ３１６）、終了する。
【００５２】
図１２は機種ＩＤチェックプログラムの動作を説明するフローチャートである。機種ＩＤチェックプログラム１１８は、通信端末機器１０１−Ａで動作し、通信端末機器１０１−Ａが機器固有情報テーブル１１２の機種ＩＤ２０１と通信端末機器１０１−Ｂの機器固有情報テーブル１１２の機種ＩＤ２０１に互換性があるかをチェックする処理のプログラムである。
【００５３】
機種ＩＤチェックプログラム１１８は、まず、通信端末機器１０１−Ａは通信端末機器１０１−Ｂに機種ＩＤ要求信号を送信する（Ｓ４０１）。機種ＩＤチェックプログラム１１８は、通信端末機器１０１−Ｂから機器固有情報テーブル１１２の機種ＩＤ２０１を受信する（Ｓ４０２）。機種ＩＤチェックプログラム１１８は、受信した機種ＩＤが機器固有情報テーブル１１２の機種ＩＤ２０１と互換性があるかどうかを判定する（Ｓ４０３）。もし互換性があれば、機種ＩＤチェックプログラム１１８は、通信端末機器１０１−Ｂへ互換あり信号を送信し（Ｓ４０４）、状態テーブル１２１の機種チェックフラグ４０２を１にする（Ｓ４０５）。機種ＩＤチェックプログラム１１８は、通信端末機器１０１−ＢからＡＣＫを受信して（Ｓ４０８）、終了する。
【００５４】
ステップ４０３で互換性がなければ、機種ＩＤチェックプログラム１１８は、通信端末機器１０１−Ｂへ互換無し信号を送信し（Ｓ４０６）、状態テーブル１２１の機種チェックフラグ４０２を０にする（Ｓ４０７）。機種ＩＤチェックプログラム１１８は、最後に、通信端末機器１０１−ＢからＡＣＫを受信して（Ｓ４０８）、終了する。
【００５５】
図１３は機種ＩＤチェック受入プログラムの動作を説明するフローチャートである。機種ＩＤチェック受入プログラム１４８は、通信端末機器１０１−Ｂで動作し、通信端末機器１０１−Ｂが通信端末機器１０１−Ａの機種ＩＤチェックプログラム１１８で判断した機種ＩＤの互換性チェックの結果を受信するプログラムである。
【００５６】
機種ＩＤチェック受入プログラム１４８は、まず、通信端末機器１０１−Ａからの機種ＩＤ要求信号を受信し（Ｓ４５１）、通信端末機器１０１−Ａへ機器固有情報テーブル１１２の機種ＩＤ２０１を送信する（Ｓ４５２）。機種ＩＤチェック受入プログラム１４８は、次に、通信端末機器１０１−Ａから互換性があるかどうかを判定する互換信号を受信する（Ｓ４５３）。機種ＩＤチェック受入プログラム１４８は、受信した互換信号が互換ありかなしかを判断し（Ｓ４５４）、もし互換性があれば、状態テーブル１２１の機種チェックフラグ４０２を１にする（Ｓ４５５）。機種ＩＤチェック受入プログラム１４８は、ＡＣＫを送信し（Ｓ４５７）、終了する。
【００５７】
ステップ４５４で互換性がなければ、機種ＩＤチェック受入プログラム１４８は、状態テーブル１２１の機種チェックフラグ４０２を０にする（Ｓ４５６）。最後に、機種ＩＤチェック受入プログラム１４８は、ＡＣＫを送信し（Ｓ４５７）、終了する。
【００５８】
図１４を参照して、通信端末機器Ａと、通信端末機器Ｂとの間で行われるデータ通信のシーケンスを説明する。ここで、図１４は通信端末機器間のデータ通信のシーケンス図である。図１４において、通信端末機器１０１−Ａの状態観測プログラム１１４は、最初に、モードチェックを行う（Ｔ５０１）。モードチェックは、モード設定スイッチ１０６の状態を取得し、取得したモードがまず交換可能モードであるかどうかのチェックである。ここでは交換可能モードであるので、通信端末機器１０１−Ａの状態観測プログラム１１４は、さらに交換要求モードか交換受入モードであるかを判断する。次に、状態観測プログラム１１４は、モードチェック５０１の結果、交換要求モードであれば、給電プログラム１１６を起動させ（Ｔ５０２）、状態観測を行う（Ｔ５０３）。状態観測は、通信ケーブル１６０が接続されているか、状態テーブル１２１の交換完了フラグ４０４が１になっていないかを定期的に観測するものである。もし、通信ケーブル１６０が切断されれば、状態観測プログラム１１４は、起動中のプログラム（給電プログラム１１６、機器ＩＤ交換プログラム１１７、機種ＩＤチェックプログラム１１８等）を強制終了させ、エラー処理プログラム１１５を実行する。
【００５９】
給電プログラム１１６は、給電スイッチ１０９をＯＮにし、通信ケーブル１６０を介して通信端末機器１０１−Ｂに給電する（Ｔ５０４）。給電プログラム１１６は、通信端末機器１０１−Ｂからの交換可能メッセージを待つ。
【００６０】
通信端末機器１０１−Ｂは、通信端末機器１０１−Ａから受電すると、状態観測プログラム１１４を起動する。状態観測プログラム１１４は、まずモードチェックを行う（Ｔ５０５）。モードチェックは、通信端末機器１０１−Ａの状態観測プログラム１１４が行ったモードチェックと同じ処理であり、説明は省略する。モードチェック処理の結果、交換受入モードであるので、状態観測プログラム１１４は、受電通知プログラム１４６を起動させ（Ｔ５０６）、状態観測を行う（Ｔ５０７）。
【００６１】
受電通知プログラム１４６は、通信端末機器１０１−Ａへ交換可能メッセージを送信し（Ｔ５０８）、機器ＩＤ交換受入プログラム１４７を起動させ（Ｔ５０９）、終了する。
機器ＩＤ交換受入プログラム１４７は、機種ＩＤチェック受入プログラム１４８を起動させ（Ｔ５１０）、待機する。機種ＩＤチェック受入プログラム１４８は、通信端末機器１０１−Ａからの機種ＩＤ要求メッセージを待つ。
【００６２】
一方、通信端末機器１０１−Ｂから交換可能メッセージを受信した通信端末機器１０１−Ａの給電プログラム１１６は、機器ＩＤ交換プログラム１１７を起動させる（Ｔ５１１）。機器ＩＤ交換プログラム１１７は、交換開始処理を行う（Ｔ５１２）。交換開始処理は、交換可能であることを状態表示ＬＥＤ１０８に表示し、交換スイッチ１０７がＯＮになるまで待機する。交換スイッチ１０７がＯＮになれば、機種ＩＤチェックプログラム１１８を起動させる（Ｔ５１３）。
【００６３】
機種ＩＤチェックプログラム１１８は、通信端末機器１０１−Ｂへ機種ＩＤ要求メッセージを送信する（Ｔ５１４）。通信端末機器１０１−Ｂの機種ＩＤチェック受入プログラム１４８は、機種ＩＤ要求メッセージを受信すると、機種ＩＤメッセージを送信する（Ｔ５１５）。通信端末機器１０１−Ｂから機種ＩＤメッセージを受信した通信端末機器１０１−Ａの機種ＩＤチェックプログラム１１８は、機器固有情報テーブル１１２の機種ＩＤ２０１と受信した機種ＩＤメッセージに含まれる機種ＩＤとに互換性があるかをチェックし（Ｔ５１６）、互換結果メッセージを通信端末機器１０１−Ｂに送信する（Ｔ５１７）。
【００６４】
通信端末機器１０１−Ｂの機種ＩＤチェック受入プログラム１４８は、通信端末機器１０１−Ａから互換結果メッセージを受信すると、通信端末機器１０１−ＡにＡＣＫを返信する（Ｔ５１８）。次に、ここでは互換結果メッセージに「互換あり」が含まれているので、機器ＩＤ交換受入プログラム１４７の待機解除を行う（Ｔ５１９）。なお、互換結果メッセージに「互換なし」が含まれていたなら、状態表示ＬＥＤ１０８に異常表示を表示し、終了する。
【００６５】
通信端末機器１０１−Ａの機種ＩＤチェックプログラム１１８は、通信端末機器１０１−ＢからＡＣＫを受信すると、互換結果が互換ありなので、機器ＩＤ交換プログラム１１７の待機解除を行う（Ｔ５２０）。なお、互換なしなら、機種ＩＤチェックプログラム１１８は、状態表示ＬＥＤ１０８に異常表示を表示し、終了する。
【００６６】
通信端末機器１０１−Ａの機器ＩＤ交換プログラム１１７は、通信端末機器１０１−Ｂとの機器ＩＤ交換準備処理を行う（Ｔ５２１）。機器ＩＤ交換準備処理は、機器固有情報テーブル１１２の機器ＩＤ２０２を一時記憶情報テーブル１２０の一時機器ＩＤ３０１に格納し、状態テーブル１２１の交換中フラグ４０３を１にする。次に、通信端末機器１０１−Ｂに機器ＩＤ要求メッセージを送信する（Ｔ５２２）。
【００６７】
通信端末機器１０１−Ｂの機器ＩＤ交換受入プログラム１４７は、通信端末機器１０１−Ａから機器ＩＤ要求メッセージを受信すると、機器ＩＤ交換準備処理を行う（Ｔ５２３）。次に、機器ＩＤ交換受入プログラム１４７は、通信端末機器１０１−Ａに機器ＩＤメッセージを送信する（Ｔ５２４）。
【００６８】
通信端末機器１０１−Ａの機器ＩＤ交換プログラム１１７は、通信端末機器１０１−Ｂから機器ＩＤメッセージを受信すると、機器ＩＤ５２４を一時記憶情報テーブル１２０の受信機器ＩＤ３０２に格納する。次に、機器ＩＤ交換プログラム１１７は、通信端末機器１０１−Ｂに機器ＩＤ消去要求メッセージを送信する（Ｔ５２５）。
【００６９】
通信端末機器１０１−Ｂの機器ＩＤ交換受入プログラム１４７は、通信端末機器１０１−Ａから機器ＩＤ消去要求メッセージを受信すると、機器ＩＤ消去処理を行う（Ｔ５２６）。機器ＩＤ消去処理は、機器固有情報テーブル１１２の機器ＩＤ２０２を消去する処理である。次に、機器ＩＤ交換受入プログラム１４７は、通信端末機器１０１−ＡにＡＣＫを送信する（Ｔ５２７）。通信端末機器１０１−Ａの機器ＩＤ交換プログラム１１７は、通信端末機器１０１−ＢからＡＣＫを受信すると、機器ＩＤ交換処理を行う（Ｔ５２８）。機器ＩＤ交換処理は、機器固有情報テーブル１１２の機器ＩＤ２０２に一時記憶情報テーブル１２０の受信機器ＩＤ３０２を上書きする処理である。次に、機器ＩＤ交換プログラム１１７は、通信端末機器１０１−Ｂに完了通知を送信する（Ｔ５２９）。
【００７０】
通信端末機器１０１−Ｂの機器ＩＤ交換受入プログラム１４７は、通信端末機器１０１−Ａから完了通知を受信すると、通信端末機器１０１−ＡにＡＣＫを送信し（Ｔ５３０）、機器ＩＤ交換終了処理を行う（Ｔ５３１）。機器ＩＤ交換終了処理は、一時記憶情報テーブル１２０の一時機器ＩＤ３０１を消去する処理である。次に、完了メッセージを状態観測プログラム１１４に通知し（Ｔ５３２）、終了する。状態観測プログラム１１４は、完了メッセージを受け取ると、終了する。
【００７１】
通信端末機器１０１−Ａの機器ＩＤ交換プログラム１１７は、通信端末機器１０１−ＢからＡＣＫを受信すると、機器ＩＤ交換終了処理を行う（Ｔ５３３）。機器ＩＤ交換終了処理は、一時記憶情報テーブル１２０の受信機器ＩＤ３０２と一時機器ＩＤ３０１を消去する処理である。次に、完了メッセージを状態観測プログラム１１４に通知し（Ｔ５３４）、終了する。状態観測プログラム１１４は、完了メッセージを受け取ると、終了する。
【００７２】
本実施例は、特に故障や電池切れなどにより通常の動作できない通信端末機器と機器ＩＤを交換する場合に有効である。本実施例によれば、通信端末機器のうち、片方の通信端末機器だけが機器固有情報の一部を交換し、もう一方の通信端末機器は機器固有情報を消去するので、２台の通信端末機器の機器固有情報が同じになることを確実に防ぐ。
【実施例２】
【００７３】
実施例２を図１５ないし図１７を参照して説明する。実施例２では、通信端末機器１０１−Ａが通信端末機器１０１−Ｂと機器ＩＤを交換するときに、通信端末機器１０１−Ｂの機器固有情報テーブル１１２の機器ＩＤ２０２を消去させず、通信端末機器１０１−Ａの機器固有情報テーブル１１２の機器ＩＤ２０２と通信端末機器１０１−Ｂの機器固有情報テーブル１１２の機器ＩＤ２０２を交換する。これによって、交換後も通信端末機器１０１−Ｂは機器固有情報テーブル１１２に機器ＩＤを保持し、通信端末機器１０１−Ｂも利用可能である。
【００７４】
図１５は機器ＩＤ交換プログラムの動作フローチャートである。機器ＩＤ交換プログラムは、通信端末機器１０１−Ａが機器固有情報テーブル１１２の機器ＩＤ２０２と通信端末機器１０１−Ｂの機器固有情報テーブル１１２の機器ＩＤ２０２を交換する処理を行う。
【００７５】
まず、機器ＩＤ交換プログラム１１７は、交換スイッチ１２２がＯＮになるまで待機し（Ｓ６０１）、交換スイッチ１２２がＯＮになれば、機器ＩＤ交換プログラム１１７は、機種ＩＤチェックプログラム１１８を起動する（Ｓ６０２）。次に、機器ＩＤ交換プログラム１１７は、機種ＩＤチェックプログラム１１８が終了するまで待機する（Ｓ６０３）。機種ＩＤチェックプログラム１１８が終了すれば、機器ＩＤ交換プログラム１１７は、状態テーブル１２１の機種チェックフラグ４０２を観測し（Ｓ６０４）、もし機種チェックフラグ４０２が０であれば、状態表示ＬＥＤ１０８に異常終了を表示し（Ｓ６２０）、終了する。
【００７６】
ステップ６０４で機種チェックフラグ４０２が１であれば、機器ＩＤ交換プログラム１１７は、機器固有情報テーブル１１２の機器ＩＤ２０２を一時記憶情報テーブル１２０の一時機器ＩＤ３０１に格納し（Ｓ６０５）、状態テーブル１２１の交換中フラグ４０３を１にする（Ｓ６０６）。次に、機器ＩＤ交換プログラム１１７は、通信端末機器１０１−Ｂへ機器ＩＤ要求信号を送信する（Ｓ６０７）。機器ＩＤ交換プログラム１１７は、通信端末機器１０１−Ｂから機器固有情報テーブル１１２の機器ＩＤ２０２を受信し（Ｓ６０８）、通信端末機器１０１−Ｂから受信した機器ＩＤを一時記憶情報テーブル１２０の受信機器ＩＤ３０２に格納する（Ｓ６０９）。次に、機器ＩＤ交換プログラム１１７は、通信端末機器１０１−Ｂへ機器固有情報テーブル１１２の機器ＩＤ２０２を送信する（Ｓ６１０）。
【００７７】
通信端末機器１０１−ＢからＡＣＫを受信すると（Ｓ６１１）、機器ＩＤ交換プログラム１１７は、機器固有情報テーブル１１２の機器ＩＤ２０２を一時記憶情報テーブル１２０の受信機器ＩＤ３０２で上書きする（Ｓ６１２）。次に、機器ＩＤ交換プログラム１１７は、状態テーブル１２１の交換中フラグ４０３を０にする（Ｓ６１３）。次に、通信端末機器１０１−Ｂへ交換開始信号を送信する（Ｓ６１４）。通信端末機器１０１−ＢからＡＣＫを受信すると（Ｓ６１５）、機器ＩＤ交換プログラム１１７は、一時記憶情報テーブル１２０の受信機器ＩＤ３０２と一時機器ＩＤ３０１を消去する（Ｓ６１６、Ｓ６１７）。最後に、機器ＩＤ交換プログラム１１７は、状態テーブル１２１の交換完了フラグ４０４を１にし（Ｓ６１８）、状態表示ＬＥＤ１０８に正常終了を表示し（Ｓ６１９）、終了する。
【００７８】
図１６は機器ＩＤ交換受入プログラムの動作フローチャートである。機器ＩＤ交換受入プログラムは、通信端末機器１０１−Ｂが機器固有情報テーブル１１２の機器ＩＤ２０２と通信端末機器１０１−Ａの機器固有情報テーブル１１２の機器ＩＤ２０２を交換する処理を行う。
【００７９】
まず、機器ＩＤ交換受入プログラム１４７は、機種ＩＤチェック受入プログラム１４８を起動する（Ｓ７０１）。次に、機器ＩＤ交換受入プログラム１４７は、機種ＩＤチェック受入プログラム１４８が終了するまで待機する（Ｓ７０２）。機種ＩＤチェック受入プログラム１４８が終了すれば、機器ＩＤ交換受入プログラム１４７は、状態テーブル１２１の機種チェックフラグ４０２を観測する（Ｓ７０３）。機種チェックフラグ４０２が０であれば、機器ＩＤ交換受入プログラム１４７は、状態表示ＬＥＤ１０８に異常終了を表示し（Ｓ７１９）、終了する。
【００８０】
ステップ７０３で、機種チェックフラグ４０２が１のとき、機器ＩＤ交換受入プログラム１４７は、通信端末機器１０１−Ａからの機器ＩＤ要求信号を受信し（Ｓ７０４）、機器固有情報テーブル１１２の機器ＩＤ２０２を一時記憶情報テーブル１２０の一時機器ＩＤ３０１に格納する（Ｓ７０５）。次に、機器ＩＤ交換受入プログラム１４７は、状態テーブル１２１の交換中フラグ４０３を１にする（Ｓ７０６）。次に、機器ＩＤ交換受入プログラム１４７は、通信端末機器１０１−Ａへ機器固有情報テーブル１１２の機器ＩＤ２０２を送信する（Ｓ７０７）。次に、機器ＩＤ交換受入プログラム１４７は、通信端末機器１０１−Ａから機器ＩＤを受信し（Ｓ７０８）、受信した機器ＩＤを一時記憶テーブル１２０の受信機器ＩＤ３０２に格納する（Ｓ７０９）。
【００８１】
次に、機器ＩＤ交換受入プログラム１４７は、通信端末機器１０１−ＡへＡＣＫを送信する（Ｓ７１０）。通信端末機器１０１−Ａから交換開始信号を受信すると（Ｓ７１１）、機器ＩＤ交換受入プログラム１４７は、機器固有情報テーブル１１２の機器ＩＤ２０２を一時記憶情報テーブル１２０の受信機器ＩＤ３０２で上書きする（Ｓ７１２）。次に、機器ＩＤ交換受入プログラム１４７は、状態テーブル１２１の交換中フラグ４０３を０にする（Ｓ７１３）。次に、機器ＩＤ交換受入プログラム１４７は、通信端末機器１０１−ＡにＡＣＫを送信し（Ｓ７１４）、一時記憶情報テーブル１２０の受信機器ＩＤ３０２と一時機器ＩＤ３０１を消去する（Ｓ７１５、Ｓ７１６）。最後に、機器ＩＤ交換受入プログラム１４７は、状態テーブル１２１の交換完了フラグ４０４を１にし（Ｓ７１７）、状態表示ＬＥＤ１０８に正常終了を表示し（Ｓ７１８）、終了する。
【００８２】
図１７を参照して、通信端末機器Ａと、通信端末機器Ｂとの間で行われるデータ通信のシーケンスを説明する。ここで、図１７は通信端末機器間のデータ通信のシーケンス図である。図１７において、通信端末機器１０１−Ａの状態観測プログラム１１４によるモードチェック（Ｔ８０１）から、機種ＩＤチェックプログラム１１８による機器ＩＤ交換プログラム１１７の待機解除（Ｔ８２０）までは、図１４と同じなので説明を省く。
【００８３】
通信端末機器１０１−Ａの機器ＩＤ交換プログラム１１７は、通信端末機器１０１−Ｂとの機器ＩＤ交換準備処理を行う（Ｔ８２１）。機器ＩＤ交換準備処理は、機器固有情報テーブル１１２の機器ＩＤ２０２を一時記憶情報テーブル１２０の一時機器ＩＤ３０１に格納し、状態テーブル１２１の交換中フラグ４０３を１にする。次に、機器ＩＤ交換プログラム１１７は、通信端末機器１０１−Ｂに機器ＩＤ要求メッセージを送信する（Ｔ８２３）。
【００８４】
通信端末機器１０１−Ｂの機器ＩＤ交換受入プログラム１４７は、通信端末機器１０１−Ａから機器ＩＤ要求メッセージを受信すると、機器ＩＤ交換準備処理を行う（Ｔ８２３）。ここ機器ＩＤ交換準備処理は、機器ＩＤ交換プログラム１１７の機器ＩＤ交換準備処理と同じ処理である。次に、機器ＩＤ交換受入プログラム１４７は、通信端末機器１０１−Ａに機器ＩＤメッセージを送信する（Ｔ８２４）。
【００８５】
通信端末機器１０１−Ａの機器ＩＤ交換プログラム１１７は、通信端末機器１０１−Ｂから機器ＩＤメッセージを受信すると、機器ＩＤメッセージに格納された機器ＩＤを一時記憶情報テーブル１２０の受信機器ＩＤ３０２に格納する。次に、機器ＩＤ交換受入プログラム１４７は、通信端末機器１０１−Ｂに機器ＩＤメッセージを送信する（Ｔ８２５）。
【００８６】
通信端末機器１０１−Ｂの機器ＩＤ交換受入プログラム１４７は、通信端末機器１０１−Ａから機器ＩＤメッセージを受信すると、機器ＩＤメッセージに格納された機器ＩＤを一時記憶情報テーブル１２０の受信機器ＩＤ３０２に格納する。次に、機器ＩＤ交換受入プログラム１４７は、通信端末機器１０１−ＡにＡＣＫを送信する（Ｔ８２６）。
【００８７】
通信端末機器１０１−Ａの機器ＩＤ交換プログラム１１７は、通信端末機器１０１−ＢからＡＣＫを受信すると、機器ＩＤ交換処理を行う（Ｔ８２７）。機器ＩＤ交換処理は、機器固有情報テーブル１１２の機器ＩＤ２０２に一時記憶情報テーブル１２０の受信機器ＩＤ３０２を上書きする処理である。次に、機器ＩＤ交換プログラム１１７は、通信端末機器１０１−Ｂに交換開始メッセージを送信する（Ｔ８２８）。
【００８８】
通信端末機器１０１−Ｂの機器ＩＤ交換受入プログラム１４７は、通信端末機器１０１−Ａから交換開始メッセージを受信すると、機器ＩＤ交換処理を行う（Ｔ８２９）。機器ＩＤ交換処理は、機器ＩＤ交換プログラム１１７の機器ＩＤ交換処理と同じ処理である。機器ＩＤ交換受入プログラム１４７は、通信端末機器１０１−ＡにＡＣＫを送信し（Ｔ８３０）、機器ＩＤ交換終了処理を行う（Ｔ８３１）。機器ＩＤ交換終了処理は、一時記憶情報テーブル１２０の受信機器ＩＤ３０２と一時機器ＩＤ３０１を消去する処理である。次に、機器ＩＤ交換受入プログラム１４７は、完了メッセージを状態観測プログラム１１４に通知し（Ｔ８３２）、終了する。状態観測プログラム１１４は、完了メッセージを受け取ると、終了する。
【００８９】
通信端末機器１０１−Ａの機器ＩＤ交換プログラム１１７は、通信端末機器１０１−ＢからＡＣＫを受信すると、機器ＩＤ交換終了処理を行う（Ｔ８３３）。機器ＩＤ交換終了処理は、機器ＩＤ交換受入プログラム１４７の機器ＩＤ交換終了処理と同じである。次に、機器ＩＤ交換プログラム１１７は、完了メッセージを状態観測プログラム１１４に通知し（Ｔ８３４）、終了する。状態観測プログラム１１４は、完了メッセージを受け取ると、終了する。
【００９０】
本実施形態は、故障や電池切れなどにより通常の動作できない通信端末機器と機器ＩＤを交換する場合で、故障や電池切れなどにおり動作できない通信端末を再利用したい場合に有効である。
【００９１】
以上、発明を実施するための最良の形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。
【図面の簡単な説明】
【００９２】
【図１】通信端末機器のハードウェアおよびソフトウェアのブロック図。
【図２】機器固有情報テーブルを説明する図。
【図３】一時記憶情報テーブルを説明する図。
【図４】状態テーブルを説明する図。
【図５】通信パケットのフォーマットを説明する図。
【図６】状態観測プログラムの動作を説明するフローチャート。
【図７】エラー処理プログラムを説明するフォローチャート。
【図８】給電プログラムの動作を説明するフローチャート。
【図９】受電通知プログラムの動作を説明するフローチャート。
【図１０】機器ＩＤ交換プログラムの動作を説明するフローチャート。
【図１１】機器ＩＤ交換受入プログラムの動作を説明するフローチャート。
【図１２】機種ＩＤチェックプログラムの動作を説明するフローチャート。
【図１３】機種ＩＤチェック受入プログラムの動作を説明するフローチャート。
【図１４】通信端末機器間のデータ通信のシーケンス図。
【図１５】機器ＩＤ交換プログラムの動作フローチャート。
【図１６】機器ＩＤ交換受入プログラムの動作フローチャート。
【図１７】通信端末機器間のデータ通信のシーケンス図。
【符号の説明】
【００９３】
１００…通信システム、１０１…通信端末機器、１０２…ＣＰＵ、１０３…ＲＯＭ、１０４…ＲＡＭ、１０５…ＲＦ処理部、１０６…モード設定スイッチ、１０７…交換スイッチ、１０８…状態表示ＬＥＤ、１０９…給電スイッチ、１１０…電源部、１１１…通信Ｉ／Ｆ、１１２…機器固有情報テーブル、１１３…プログラム、１１４…状態観測プログラム、１１５…エラー処理プログラム、１１６…給電プログラム、１１７…機器ＩＤ交換プログラム、１１８…機器ＩＤチェックプログラム、１１９…アプリケーションプログラム、１２０…一時記憶情報テーブル、１２１…状態テーブル、１２３…アンテナ、１４６…給電プログラム、１４７…機器ＩＤ交換受入プログラム、１４８…機種ＩＤチェック受入プログラム、１６０…通信ケーブル。
【図１】
2008227604.tif 000003
【図２】
2008227604.tif 000004
【図３】
2008227604.tif 000005
【図４】
2008227604.tif 000006
【図５】
2008227604.tif 000007
【図６】
2008227604.tif 000008
【図７】
2008227604.tif 000009
【図８】
2008227604.tif 000010
【図９】
2008227604.tif 000011
【図１０】
2008227604.tif 000012
【図１１】
2008227604.tif 000013
【図１２】
2008227604.tif 000014
【図１３】
2008227604.tif 000015
【図１４】
2008227604.tif 000016
【図１５】
2008227604.tif 000017
【図１６】
2008227604.tif 000018
【図１７】
2008227604.tif 000019